(57)【要約】  第１のネットワーク装置は、データを、順序付けした複数のパケットによって送信する。第２のネットワーク装置は、パケット保持時間をサービスクラス毎に適切な値に設定しておき、第１のネットワーク装置から先に送信されたパケットが抜けて後から送信されたパケットが先に到着したとき、先に到着したパケットを最大でパケット保持時間まで保持する。そして、第２のネットワーク装置は、パケット保持時間の間に抜けたパケットが到着すれば、パケットを送信された順序に並べなおし、パケット保持時間の間に抜けたパケットが到着しなければ、パケットを送信された順序に並べなおすことを諦める。
2008117551.tif 000002
【特許請求の範囲】
【請求項１】
複数のサービスクラスのサービスを提供することのできる移動体通信システムであって、
データを、順序付けした複数のパケットによって送信する第１のネットワーク装置と、
前記第１のネットワーク装置から送信されたパケットを受信可能であり、パケットの順序を戻すとき先に送信されたパケットを待つために先に到着したパケットを保持するパケット保持時間をサービスクラス毎に設定しておき、前記第１のネットワーク装置から先に送信されたパケットが抜けて後から送信されたパケットが先に到着したとき、前記先に到着したパケットを最大で前記パケット保持時間まで保持し、前記パケット保持時間の間に前記抜けたパケットが到着すれば、パケットを送信された順序に並べなおし、前記パケット保持時間の間に前記抜けたパケットが到着しなければ、パケットを送信された順序に並べなおすことを諦める第２のネットワーク装置と、を有する移動体通信システム。
【請求項２】
前記第１のネットワーク装置は前記移動体通信システムのコアネットワークを構成するコアネットワーク装置であり、前記端末へのデータを順序付けした複数のパケットによって送信し、
前記第２のネットワーク装置は、前記コアネットワークに接続され端末を無線回線で収容する無線アクセスネットワークを構成する無線アクセスネットワーク装置であり、前記第１のネットワーク装置から先に送信されたパケットが抜けて後から送信されたパケットが先に到着したとき、前記パケット保持時間の間に前記抜けたパケットが到着すれば、送信された順序に並べなおしたパケットのデータを前記端末に送信し、前記パケット保持時間の間に前記抜けたパケットが到着しなければ、パケットを送信された順序に並べなおすことを諦めて、保持していた前記パケットのデータを前記端末に送信する、請求項１に記載の移動体通信システム。
【請求項３】
前記第２のネットワーク装置は、ノンリアルタイムサービスのパケット保持時間をリアルタイムサービスのパケット保持時間よりも長く設定する、請求項１に記載の移動体通信システム。
【請求項４】
前記第２のネットワーク装置は、リアルタイムサービスの中で、ストリーミングのパケット保持時間を通話サービスのパケット保持時間よりも長く設定する、請求項１に記載の移動体通信システム。
【請求項５】
前記第２のネットワーク装置は、リアルタイムサービスにおいて、パケットを送信された順序に並べなおすことを諦めたとき、前記保持しておいたパケットを送信し、前記抜けたパケットがその後に到着しても廃棄する、請求項１に記載の移動体通信システム。
【請求項６】
複数のサービスクラスのサービスを提供することのできる移動体通信システムにおいて、順序付けして送信されたパケットを受信して、前記パケットのデータを送信するネットワーク装置であって、
パケットの順序を戻すとき先に送信されたパケットを待つために先に到着したパケットを保持するパケット保持時間をサービスクラス毎に設定しておき、前記順序付けして送信された複数のパケットのうち、先に送信されたパケットが抜けて後から送信されたパケットが先に到着したとき、前記先に到着したパケットを最大で前記パケット保持時間まで保持し、前記パケット保持時間の間に前記抜けたパケットが到着すれば、送信された順序に並べなおしたパケットのデータを出力し、前記パケット保持時間の間に前記抜けたパケットが到着しなければ、パケットを送信された順序に並べなおすことを諦めて、保持していた前記パケットのデータを出力するパケット処理手段と、
前記パケット処理手段から出力されたパケットのデータを送信するデータ処理手段と、を有するネットワーク装置。
【請求項７】
前記移動体通信システムにおいてコアネットワークと接続される無線アクセスネットワークに含まれ、前記コアネットワークからのパケットを受信して、前記パケットのデータを端末に送信する無線アクセスネットワーク装置であり、
前記パケット処理手段は、前記コアネットワークからのパケットを処理して出力し、
データ処理手段は、前記パケット処理手段から出力されたパケットのデータを前記端末に送信する、請求項６に記載のネットワーク装置。
【請求項８】
前記パケット処理手段は、ノンリアルタイムサービスのパケット保持時間をリアルタイムサービスのパケット保持時間よりも長く設定する、請求項６に記載のネットワーク装置。
【請求項９】
前記パケット処理手段は、リアルタイムサービスの中で、ストリーミングのパケット保持時間を通話サービスのパケット保持時間よりも長く設定する、請求項６に記載のネットワーク装置。
【請求項１０】
前記パケット処理手段は、リアルタイムサービスにおいて、パケットを送信された順序に並べなおすことを諦めたとき、前記保持しておいたパケットを出力し、前記抜けたシーケンス番号のパケットがその後に到着しても廃棄する、請求項６に記載のネットワーク装置。
【請求項１１】
複数のサービスクラスのサービスを提供することのできる移動体通信システムにおけるパケット順序制御方法であって、
パケットの順序を戻すとき先に送信されたパケットを待つために先に到着したパケットを保持するパケット保持時間をサービスクラス毎に設定しておき、
先に送信されたパケットが抜けて後から送信されたパケットが先に到着したとき、前記先に到着したパケットを最大で前記パケット保持時間まで保持し、
前記パケット保持時間の間に前記抜けたパケットが到着すれば、送信された順序に並べなおしたパケットのデータを出力し、前記パケット保持時間の間に前記抜けたパケットが到着しなければ、パケットを送信された順序に並べなおすことを諦めて、保持していた前記パケットのデータを出力する、パケット順序制御方法。
【発明の詳細な説明】
【技術分野】
【０００１】
本発明は、各種サービスクラスの通信が可能な移動体通信システムに関する。
【背景技術】
【０００２】
移動体通信システムのネットワークはＡＴＭ（Ａｓｙｎｃｈｒｏｎｏｕｓ  Ｔｒａｎｓｆｅｒ  Ｍｏｄｅ）網からＩＰ（Ｉｎｔｅｒｎｅｔ  Ｐｒｏｔｏｃｏｌ）網へと変化している。【０００３】
第３世代移動体通信システムでは無線アクセスネットワークとコアネットワークとの間の通信制御にＧＴＰ（ＧＰＲＳ（Ｇｅｎｅｒａｌ  Ｐａｃｋｅｔ  Ｒａｄｉｏ  Ｓｅｒｖｉｃｅ）  Ｔｕｎｎｅｌｌｉｎｇ  Ｐｒｏｔｏｃｏｌ）が用いられる。第３世代移動体通信システムではユーザデータはパケットによって転送される。無線アクセスネットワークとコアネットワークとの間のユーザデータのパケット通信にはＧＴＰ−Ｕ（ＧＴＰ−  Ｕｓｅｒ  Ｐｌａｎｅ）が用いられる。【０００４】
一般にＩＰ網ではパケットの到着順序の入れ替わりが発生しやすい。またＬＴＥ（Ｌｏｎｇ  Ｔｉｍｅ  Ｅｖｏｌｕｔｉｏｎ）では、無線アクセスネットワークの無線制御装置と無線基地局とを１つのノード（統合型無線基地局）に統合することが検討されている。その場合、コアネットワークと統合型無線基地局とがＩＰネットワークで接続される。ＩＰネットワークではコアネットワークと統合型無線基地局との間に複数のルータが介在することがありうる。介在するルータが増えれば、パケットの到着順序の入れ替わりが起る可能性が更に高くなる。【０００５】
これに対してＧＴＰ−Ｕでは送信するパケットにシーケンス番号を付与し、到着したパケットの順序をシーケンス番号から検知し、パケットを正しく並べなおす機能を準備している。ＧＴＰ−Ｕを終端する装置のパケット処理部では、到着するパケットのシーケンス番号を監視しており、シーケンス番号が抜けるとパケットの到着順序の入れ替わりが発生したと認識する。パケットの到着順序の入れ替わりを検出すると、パケット処理部は、先に到着したパケットを一定時間保持し、そのパケットよりも先に送信されたパケットの到着を待つ。待っていたパケットが一定時間の間に到着すれば、パケット処理部はパケットをシーケンス番号の順序に並べ替えて出力する。待っていたパケットが一定時間の間に到着しなければ、パケット処理部は保持しておいたパケットを出力し、待っていたパケットがその後に到着してもそれを廃棄する。【０００６】
一方で、パケットによるデータ転送の用途はファイル転送やＷｅｂ情報の閲覧等のノンリアルタイムサービスからストリーミングやＶｏＩＰといったリアルタイムサービスまで多様化してきている。リアルタイムサービスでは遅延の発生がサービス品質に大きな影響を与える。【０００７】
このように移動体通信システムにおいては様々なサービスクラスのデータを扱うことが要求されるようになっている。サービスクラスによってネットワークでの遅延時間に対する要求条件が異なるので、サービスクラスに応じた制御が適用されることがある（例えば、特開２００２−１５２２２３号公報参照）。
【発明の開示】
【０００８】
上述したようにＧＴＰ−Ｕではシーケンス番号を用いてパケットの順序を正しく並べなおす制御が行なわれる。しかし、この制御においてサービスクラスが考慮されていないため、各サービスクラスに対して適切な制御が行なわれているとは言えなかった。移動体通信システムで扱うサービスクラスが多様化し、またＩＰネットワークでデータを転送する範囲が広がると、ＧＴＰ−Ｕでのパケット順序の制御による遅延の影響がより顕著になると考えられる。
【０００９】
本発明の一目的は、各サービスクラスに対して適切なパケット順序の制御を行なうことのできる移動体通信システムを提供することである。
【００１０】
上記目的を達成するために、本発明の一態様による移動体通信システムは、複数のサービスクラスのサービスを提供することのできる移動体通信システムであって、
データを、順序付けした複数のパケットによって送信する第１のネットワーク装置と、
前記第１のネットワーク装置から送信されたパケットを受信可能であり、パケットの順序を戻すとき先に送信されたパケットを待つために先に到着したパケットを保持するパケット保持時間をサービスクラス毎に設定しておき、前記第１のネットワーク装置から先に送信されたパケットが抜けて後から送信されたパケットが先に到着したとき、前記先に到着したパケットを最大で前記パケット保持時間まで保持し、前記パケット保持時間の間に前記抜けたパケットが到着すれば、パケットを送信された順序に並べなおし、前記パケット保持時間の間に前記抜けたパケットが到着しなければ、パケットを送信された順序に並べなおすことを諦める第２のネットワーク装置と、を有している。
本発明の一態様によるネットワーク装置は、複数のサービスクラスのサービスを提供することのできる移動体通信システムにおいて、順序付けして送信されたパケットを受信して、前記パケットのデータを送信するネットワーク装置であって、
パケットの順序を戻すとき先に送信されたパケットを待つために先に到着したパケットを保持するパケット保持時間をサービスクラス毎に設定しておき、前記順序付けして送信された複数のパケットのうち、先に送信されたパケットが抜けて後から送信されたパケットが先に到着したとき、前記先に到着したパケットを最大で前記パケット保持時間まで保持し、前記パケット保持時間の間に前記抜けたパケットが到着すれば、送信された順序に並べなおしたパケットのデータを出力し、前記パケット保持時間の間に前記抜けたパケットが到着しなければ、パケットを送信された順序に並べなおすことを諦めて、保持していた前記パケットのデータを出力するパケット処理部と、
前記パケット処理部から出力されたパケットのデータを送信するデータ処理部と、を有している。
【００１１】
本発明の一態様によるパケット順序制御方法は、複数のサービスクラスのサービスを提供することのできる移動体通信システムにおけるパケット順序制御方法であって、
パケットの順序を戻すとき先に送信されたパケットを待つために先に到着したパケットを保持するパケット保持時間をサービスクラス毎に設定しておき、
先に送信されたパケットが抜けて後から送信されたパケットが先に到着したとき、前記先に到着したパケットを最大で前記パケット保持時間まで保持し、
前記パケット保持時間の間に前記抜けたパケットが到着すれば、送信された順序に並べなおしたパケットのデータを出力し、前記パケット保持時間の間に前記抜けたパケットが到着しなければ、パケットを送信された順序に並べなおすことを諦めて、保持していた前記パケットのデータを出力する、パケット順序制御方法である。
【図面の簡単な説明】
【００１２】
【図１】本実施形態の移動体通信システムの構成を示すブロック図である。
【図２】無線制御装置１１の構成を示すブロック図である。
【図３】データ通信のベアラを確立するときの移動体通信システムの動作を示すシーケンス図である。
【図４】コアネットワーク１０から無線制御装置１１へ送信されたパケットの順序が入れ替わったときの移動体通信システムの動作を示すシーケンス図である。
【図５】他の実施形態の移動体通信システムの構成を示すブロック図である。
【発明を実施するための最良の形態】
【００１３】
本発明を実施するための形態について図面を参照して詳細に説明する。【００１４】
図１は、本実施形態の移動体通信システムの構成を示すブロック図である。図１を参照すると、移動体通信システムは、コアネットワーク１０、無線制御装置１１、および無線基地局１２を有している。無線制御装置１１および無線基地局１２は無線アクセスネットワークに属する。コアネットワーク１０と無線アクセスネットワークの間はＡＴＭネットワークもしくはＩＰネットワークであり、ユーザデータはパケットで転送される。【００１５】
コアネットワーク１０は複数のノード（不図示）で構成される交換ネットワークであり、ユーザの要求するサービスクラス（あるいはＱｏＳ（Ｑｕａｌｉｔｙ  ｏｆ  Ｓｅｒｖｉｃｅ））情報を無線アクセスネットワークに提供する機能と、端末１３の送受するデータをスイッチングする機能とを有する。コアネットワーク１０から無線アクセスネットワークの無線制御装置１１に送信するユーザデータのパケットにはシーケンス番号が付与されている。【００１６】
無線制御装置１１は、コアネットワーク１０と接続するとともに無線基地局１２を収容しており、要求されるサービスクラスに応じてベアラを確立し、端末１３のデータを無線基地局１２との間で送受信する。コアネットワーク１０と無線制御装置１１の間はＡＴＭネットワークもしくはＩＰネットワークであり、無線制御装置１１はコアネットワーク１０から受信したユーザデータのパケットを処理し、ユーザデータを無線基地局１２に送信する。【００１７】
そのとき無線制御装置１１は、パケット順序監視処理として、シーケンス番号に基づいて到着するパケットの順序を監視する。無線制御装置１１はパケット順序監視処理にてパケットの到着順序が入れ替わったことを検出すると、パケット並べ替え処理としてパケットをシーケンス番号の順序に並べなおす。【００１８】
無線制御装置１１はパケット並べ替え処理のために、先に送信されたパケットを待つために先に到着したパケットを保持する時間（以下「パケット保持時間」という）をサービスクラス毎に適切な値に設定しておく。【００１９】
例えば、ファイル転送やＷｅｂ情報の閲覧等のノンリアルタイムサービスは、ストリーミングや通話サービス（ＶｏＩＰ）といったリアルタイムサービスと比べて遅延時間に対する要求条件がゆるい。つまりノンリアルタイムサービスはリアルタイムサービスよりも長い遅延時間を許容する。そこでノンリアルタイムサービスのパケット保持時間をリアルタイムサービスのパケット保持時間よりも長く設定するとよい。これによりノンリアルタイムサービスではパケットを元の順序に戻せる場合が増えるのでＴＣＰでのパケット再送の回数を低減することができる。またリアルタイムサービスでは、パケット保持時間を短く設定することによりパケットの遅延を低減することができ、サービス品質を確保することができる。【００２０】
さらにリアルタイムサービスの中では、ストリーミングは通話サービスよりも長い遅延時間を許容する。そこでストリーミングのパケット保持時間を通話サービスのパケット保持時間よりも長く設定するとよい。【００２１】
そして、パケット並べ替え処理では、無線制御装置１１は、先に到着したパケットを最大で、サービスクラスに応じたパケット保持時間まで保持し、そのパケットよりも先に送信されたパケットの到着を待つ。待っていたパケットがパケット保持時間の間に到着すれば、無線制御装置１１はパケットをシーケンス番号の順序に並べ替えてデータを無線基地局１２に送信する。待っていたパケットがパケット保持時間の間に到着しなければ、無線制御装置１１は、パケットを元の順序に戻すことを諦める。【００２２】
パケットを元の順序に戻すことを諦めたときの無線制御装置１１の動作の例として、無線制御装置１１は保持しておいたパケットを出力し、待っていたパケットがその後に到着してもそれを廃棄することにしてもよい。この動作はリアルタイムサービスに好適なものなのでリアルタイムサービスに限定して適用してもよい。【００２３】
また、パケットを元の順序に戻すことを諦めたときの無線制御装置１１の動作の他の例として、無線制御装置１１は保持しておいたパケットを出力し、待っていたパケットがその後に到着したとき、到着した順序で出力することにしてもよい。【００２４】
無線基地局１２は、無線制御装置１１と接続しており、無線で端末１３と接続してデータを送受信する。【００２５】
図２は、無線制御装置１１の構成を示すブロック図である。図２を参照すると、無線制御装置１１は、制御部２１、パケット処理部２２、およびデータ処理部２３を有している。【００２６】
制御部２１は、コアネットワーク１０との間の制御信号と無線基地局１２との間の制御信号の両方を終端し、パケット処理部２２およびデータ処理部２３を含む無線制御装置１１の各部を制御する。ベアラを確立するとき、制御部２１はベアラの対象となる呼のサービスクラスを示すサービスクラス情報をパケット処理部２２に通知する。【００２７】
パケット処理部２２は、コアネットワーク１０と送受信するパケットに対するパケット順序制御を行う。パケット順序制御には上述したパケット順序監視処理とパケット並べ替え処理とが含まれている。パケット処理部２２は、サービスクラス毎のパケット保持時間を予め記憶しており、パケット並べ替え処理に用いる。【００２８】
パケット順序監視処理では、パケット処理部２２は、コアネットワーク１０から受信したパケットをデータ処理部２３に転送しながら、パケットに付与されているシーケンス番号に基づいて、到着するパケットの順序を監視する。具体的には、パケット処理部２２は、コアネットワーク１０から到着するパケットのシーケンス番号を監視しており、シーケンス番号が抜けるとパケットの到着順序の入れ替わりが発生したと認識する。そのときパケット処理部２２はパケット並べ替え処理を実行する。【００２９】
パケット並べ替え処理では、パケット処理部２２は、パケット順序監視処理で入れ替わりを検出したパケットをシーケンス番号の順序に並べなおしてからデータ処理部２３に転送する。具体的には、パケット処理部２２は、先に到着したパケットを、サービスクラスに対応するパケット保持時間だけ保持し、そのパケットよりも先に送信されたパケットの到着を待つ。待っていたパケットがパケット保持時間の間に到着すれば、パケット処理部２２はパケットをシーケンス番号の順序に並べ替えてデータ処理部２３に送信する。待っていたパケットがパケット保持時間の間に到着しなければ、パケット処理部２２はパケットを元の順序に戻すことを諦める。例えば、パケット処理部２２は保持しておいたパケットを出力し、待っていたパケットがその後に到着したとき、到着した順序で出力することにしてもよい。他の例として、パケット処理部２２は保持しておいたパケットを出力し、待っていたパケットがその後に到着してもそれを廃棄することにしてもよい。【００３０】
データ処理部２３は、パケット処理部２２からのパケットを処理してユーザデータを取り出し、無線基地局１２に送信する。【００３１】
移動体通信システムの動作について説明する。【００３２】
図３は、データ通信のベアラを確立するときの移動体通信システムの動作を示すシーケンス図である。図３を参照すると、まず無線制御装置１１がコアネットワーク１０からベアラ確立要求を受信する（ステップ１０１）。無線制御装置１１では、制御部２１がコアネットワーク１０から受信したベアラ確立要求メッセージに含まれているサービスクラス情報を取得する（ステップ１０２）。【００３３】
サービスクラスには、少なくとも“ｃｏｎｖｅｒｓａｔｉｏｎａｌ”、“ｓｔｒｅａｍｉｎｇ”、“ｉｎｔｅｒａｃｔｉｖｅ”、および“ｂａｃｋｇｒｏｕｎｄ”がある。“ｃｏｎｖｅｒｓａｔｉｏｎａｌ”と“ｓｔｒｅａｍｉｎｇ”はリアルタイムサービスに属する。“ｉｎｔｅｒａｃｔｉｖｅ”と“ｂａｃｋｇｒｏｕｎｄ”はノンリアルタイムサービスに属する。【００３４】
次に制御部２１は、取得したサービスクラス情報に応じたベアラを確立するとともに、サービスクラス情報をパケット処理部２２に通知する（ステップ１０３）。パケット処理部２２は、制御部２１から通知されたサービスクラス情報を設定する（ステップ１０４）。パケット処理部２２にはサービスクラス毎のパケット保持時間が記憶されているので、パケット並べ替え処理に用いるパケット保持時間はこのサービスクラス情報によって決まる。パケット処理部２２は、サービスクラス情報とともにパケット保持時間も設定しておく。ここで設定されるパケット保持時間はリアルタイムサービスの値よりもノンリアルタイムサービスの値の方が長い。【００３５】
設定が完了すると、パケット処理部２２は設定完了通知を制御部２１に送信する（ステップ１０５）。制御部２１は、パケット処理部２２から設定完了通知を受信すると、ベアラの確立を完了し、ベアラ確立応答をコアネットワーク１０に送信する（ステップ１０６）。【００３６】
図４は、コアネットワーク１０から無線制御装置１１へ送信されたパケットの順序が入れ替わったときの移動体通信システムの動作を示すシーケンス図である。図４を参照すると、無線制御装置１１はコアネットワーク１０より、連続するユーザデータのパケットを受信する（ステップ２０１）。【００３７】
無線制御装置１１のパケット処理部２２は、受信したパケットのシーケンス番号を確認し、シーケンス番号に抜けが発生すると、その後のパケットをバッファに保持するとともに、パケット保持時間をカウントするタイマを起動する。【００３８】
ここではシーケンス番号２２、２３のパケットの遅延によって入れ替わりが発生し、シーケンス番号２４〜２７のパケットが先に無線制御装置１１に到着するものとする。【００３９】
無線制御装置１１では、パケット処理部２２がまずシーケンス番号２１のパケットをデータ処理部２３に送信する（ステップ２０２）。次に、パケット処理部２２はパケット保持時間をカウントするタイマを起動して、シーケンス番号２２、２３のパケットが到着するのを待つ（ステップ２０３）。パケット処理部２２は、シーケンス番号２２、２３のパケットを待つ間、シーケンス番号２４以降のパケットをバッファに保持しておく（ステップ２０４）。【００４０】
この例ではタイマ満了前にシーケンス番号２２、２３のパケットが無線制御装置１１に到着するものとする（ステップ２０５）。シーケンス番号２２、２３のパケットを受信すると、パケット処理部２２はタイマを停止させる（ステップ２０６）。続いて、パケット処理部２２は、パケットをシーケンス番号の順序に並べ替えてデータ処理部２３に送信する（ステップ２０７）。【００４１】
以上説明したように、本実施形態によれば、無線制御装置１１は、パケットの順序を戻すとき先に送信されたパケットを待つために先に到着したパケットを保持するパケット保持時間をサービスクラス毎に適切な値に設定しておく。そして到着したパケットのシーケンス番号に抜けが生じると、無線制御装置１１は、先に到着したパケットを最大でパケット保持時間まで保持し、その間に抜けていたパケットが到着した場合にはシーケンス番号の順序にパケットを並べなおす。サービスクラス毎に適切なパケット保持時間を用いるので各サービスクラスに対して適切なパケット順序の制御を行なうことができる。【００４２】
また、本実施形態によれば、リアルタイムサービスでは、無線制御装置１１はパケット保持時間の間に待っていたパケットが到着しなければ、その後に到着しても廃棄する。リアルタイムサービスでは許容範囲を超えた遅延時間で到着したパケットは端末１３で廃棄されることになるので、廃棄されるデータの送信に有線および無線のリソースが無駄に使用されるのを上記動作により防止することができる。【００４３】
本発明の他の実施形態について説明する。【００４４】
Ｌｏｎｇ  Ｔｅｒｍ  Ｅｖｏｌｕｔｉｏｎ（ＬＴＥ）では無線制御装置と無線基地局を１つのノードに統合することが検討されている。本実施形態では本発明をＬＴＥに適用した例を示す。ここでは無線制御装置と無線基地局を統合したノードを統合型無線基地局と呼ぶことにする。【００４５】
図５は、他の実施形態の移動体通信システムの構成を示すブロック図である。図５を参照すると、移動体通信システムはコアネットワーク１０および統合型無線基地局３１を有している。【００４６】
統合型無線基地局３１は図１に示した無線制御装置１１と無線基地局１２の機能を併せ持っている。統合型無線基地局３１は、無線制御装置としての機能を実現するために、図２に示した制御部２１、パケット処理部２２、およびデータ処理部２３を有している。統合型無線基地局３１は、制御部２１、パケット処理部２２、およびデータ処理部２３により、図３、４に示した動作をすることができる。そして、それによって各サービスクラスに対して適切なパケット順序の制御を行なうことができる。【００４７】
なお、上述した各実施形態ではコアネットワーク１０から無線アクセスネットワークへの下りユーザデータについてのパケット順序制御に本発明を適用した例を示したが、本発明はこれに限定されるものではない。本発明のパケット順序制御は、無線アクセスネットワークからコアネットワーク１０への上りユーザデータに適用することもできる。その場合、パケット順序制御についてコアネットワーク１０が上述した無線制御装置１１の動作をし、無線制御装置１１が上述したコアネットワーク１０の動作をすればよい。特に、コアネットワーク１０のノードは、図２に示した制御部２１、パケット処理部２２、およびデータ処理部２３を有し、それら各部によって、図３、４に示したパケット順序制御を実行する。これによって上りユーザデータについても各サービスクラスに対して適切なパケット順序の制御を行なうことができる。【００４８】
以上、実施形態を参照して本発明を説明したが、本発明は実施形態に限定されるものではない。クレームに定義された本発明の構成や詳細には、発明のスコープ内で当業者が理解し得る様々な変更をすることができる。【００４９】
この出願は、２００７年３月２７日に出願された日本出願特願２００７−０８１７１６を基礎として優先権の利益を主張するものであり、その開示の全てを引用によってここに取り込む。
【図１】
2008117551.tif 000003
【図２】
2008117551.tif 000004
【図３】
2008117551.tif 000005
【図４】
2008117551.tif 000006
【図５】
2008117551.tif 000007
【国際調査報告】
2008117551.tif 000008
2008117551.tif 000009